(57)【特許請求の範囲】
【請求項１】
人間の頭部を模して形成されたマネキン人形の頭部において、
内側が中空に形成されるとともに、義眼露出孔を顔面に有し、作業者の手の出し入れが可能な義眼交換孔を上部に有する頭部本体と、
前記義眼露出孔の背面側に保持されて、一部を前記義眼露出孔から外側に向けて露出させる義眼と、
前記義眼露出孔の背面側に設けられて前記義眼を着脱自在に保持する保持部と、
前記義眼交換孔を開閉可能に閉鎖するするとともに、ウィッグが着脱可能に取り付けられる蓋部材と、を備え、
前記義眼は、椀状に形成されていて、中央部には、虹彩部が設けられ、周縁部には押圧部が設けられており、
前記保持部は、前記義眼露出孔から後方に延びて後端側からの前記義眼の挿脱が可能な筒状部材と、前記筒状部材の後端を開閉可能に閉鎖するキャップ部材と、を有し、
前記キャップ部材は、小径部と大径部とを有する円錐台状に形成されており、小径部の直径は前記筒状部材の内径よりも小さく、一方、大径部の直径は該内径よりも大きく設定されており、該小径部を前記筒状部材の後端側に押し込むことにより該小径部で義眼の押圧部を押圧して、義眼が位置決め固定される、ことを特徴とするマネキン人形の頭部。
【請求項２】
前記頭部本体に対して前記蓋部材の位置決めをするための位置決め部が設けられている、ことを特徴とする請求項１に記載のマネキン人形の頭部。
【請求項３】
前記蓋部材は、前記ウィッグを前記蓋部材に取り付けるためのピンの抜き差しが容易な部材によって構成されている、ことを特徴とする請求項１又は２に記載のマネキン人形の頭部。
【請求項４】
前記蓋部材と前記頭部本体との間に、面ファスナが設けられている、ことを特徴とする請求項１ないし３のいずれか１項に記載のマネキン人形の頭部。
【発明の詳細な説明】
【技術分野】
【０００１】
本発明は、義眼やウィッグ（カツラ）の交換が容易なマネキン人形の頭部に関する。
【背景技術】
【０００２】
人形は、愛玩用に使用されたり、ウィッグ（カツラ）等の試着に使用されたりする。このような人形においては、目（瞳）の色を変えたり、視線を動かしたり（調整したり）、ウィッグ（カツラ）を交換したりすることで、顔全体（頭部全体）の表情を大きく変化させることができる。
【０００３】
例えば、特許文献１，２には、眼球（義眼）を瞳の色が異なるものに交換することで、目の色を変更し、また、眼球を回転させることで視線を動かすようにしたものが開示されている。
【０００４】
すなわち、特許文献１のものは、中空の頭部の眼球露出穴の内側に、棒状の取付部本体を後方に延びるように固定し、この取付部本体によって眼球押え部を前後方向摺動可能に支持する。眼球押え部には、眼球の後部に嵌合可能な円形の嵌め合い部が形成されていて、眼球露出穴とこの嵌め合い部との間に眼球を挟み込んだ後、取付部本体のカシメ部によって眼球押え部を固定することで、眼球を回転可能に支持している。
【０００５】
一方、特許文献２のものは、中空の頭部の目の裏側に円筒を配し、球体の眼球、あるいは半球状の補助器具を取り付けた眼球を入れ、スプリングが付いた蓋によって眼球を回転可能に保持している。
【０００６】
上述したように、特許文献１，２のものは、いずれも、眼球の交換及び視線の調整（移動）が可能となるように構成されている。
【先行技術文献】
【特許文献】
【０００７】
【特許文献１】特開２００６−１３６４５１号公報
【特許文献２】特開２００８−２５９８８６号公報
【発明の概要】
【発明が解決しようとする課題】
【０００８】
しかしながら、上述の特許文献１，２のものは、眼球の視線を容易に移動（調整）できるように構成しているため、その構成が複雑となり、眼球の交換作業が煩雑になるという問題があった。なお、特許文献１，２には、ウィッグを容易に交換するための構造については開示されていない。
【０００９】
そこで、本発明は、簡単な構成で、眼球（義眼）の交換が容易であり、加えてウィッグの交換も容易であるマネキン人形の頭部を提供することを目的とするものである。
【課題を解決するための手段】
【００１０】
請求項１に係る発明は、人間の頭部を模して形成されたマネキン人形の頭部において、内側が中空に形成されるとともに、義眼露出孔を顔面に有し、作業者の手の出し入れが可能な義眼交換孔を上部に有する頭部本体と、前記義眼露出孔の背面側に保持されて、一部を前記義眼露出孔から外側に向けて露出させる義眼と、前記義眼露出孔の背面側に設けられて前記義眼を着脱自在に保持する保持部と、前記義眼交換孔を開閉可能に閉鎖するするとともに、ウィッグが着脱可能に取り付けられる蓋部材と、を備える、ことを特徴とする。
【００１１】
請求項２に係る発明は、請求項１に係るマネキン人形の頭部において、前記頭部本体に対して前記蓋部材の位置決めをするための位置決め部が設けられている、ことを特徴とする。
【００１２】
請求項３に係る発明は、請求項１又は２に係るマネキン人形の頭部において、前記蓋部材は、前記ウィッグを前記蓋部材に取り付けるためのピンの抜き差しが容易な部材によって構成されている、ことを特徴とする。
【００１３】
請求項４に係る発明は、請求項１ないし３のいずれか１項に記載のマネキン人形の頭部において、前記蓋部材と前記頭部本体との間に、面ファスナが設けられている、ことを特徴とする。
【００１４】
請求項５に係る発明は、請求項１ないし４のいずれか１項に記載のマネキン人形の頭部において、前記義眼保持部は、前記義眼露出孔から後方に延びて後端側からの前記義眼の挿脱が可能な筒状部材と、前記筒状部材の後端を開閉可能に閉鎖するキャップ部材と、を有する、ことを特徴とする。
【発明の効果】
【００１５】
請求項１の発明によれば、蓋部材を開放して、義眼交換孔を開けることにより、義眼交換孔に手を差し入れて、保持部に保持されている義眼を交換することができる。また、義眼交換孔を閉じた閉鎖状態の蓋部材に対して、ウィッグを着脱することができる。さらに、ウィッグを蓋部材に取り付けた状態で、蓋部材とともに（蓋部材ごと）ウィッグを交換することも可能である。
【００１６】
請求項２の発明によれば、頭部本体に対して、蓋部材を、位置決め部により位置決めすることができる。このため、例えば、蓋部材ごとウィッグを交換する場合には、蓋部材を位置決めすることにより、蓋部材を介してウィッグを頭部本体に対して簡単に位置決めすることが可能である。
【００１７】
請求項３の発明によれば、蓋部材に対してピンの抜き差しが容易であるので、ピンによって蓋部材に取り付けられたウィッグの交換が容易である。
【００１８】
請求項４の発明によれば、蓋部材による、頭部本体の義眼交換孔の開閉が容易である。
請求項５の発明によれば、義眼の着脱が容易である。
【図面の簡単な説明】
【００１９】
【図１】頭部１を説明する図であり、（Ａ）は正面図、（Ｂ）は左側面図、（Ｃ）は背面図である。
【００２０】
【図２】（Ａ）は頭部１から蓋部材４０を取り外して、頭部本体１０を背面側斜め上方から見た斜視図であり、（Ｂ）は（Ａ）と同じ角度から見た、保持部３０からキャップ３２を外して、義眼２０を取り除いた状態を示す図である。
【００２１】
【図３】（Ａ）は頭部１を正面側から見た模式図であり、（Ｂ）は（Ａ）中の矢印Ｘ−Ｘ線矢視図である。
【００２２】
【図４】保持部３０の構成を模式的に示す図である。
【００２３】
【図５】義眼２０を説明する図であり、（Ａ）は正面図、（Ｂ）は（Ａ）中の矢印Ｙ−Ｙ線矢視図である。
【００２４】
【図６】保持部３０のキャップ３２を説明する図であり、（Ａ）は正面図、（Ｂ）はＺ−Ｚ線矢視図である。
【００２５】
【図７】蓋部材４０を説明する図であり、（Ａ）は正面側斜め上方から見た斜視図、（Ｂ）は正面側斜め下方から見た斜視図である。
【発明を実施するための形態】
【００２６】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２７】
図１〜図７を参照して本発明を適用した実施形態１に係るマネキン人形の頭部（以下単に「頭部」という。）１について説明する。
【００２８】
図１は頭部１を説明する図であり、（Ａ）は正面図、（Ｂ）は左側面図、（Ｃ）は背面図である。なお、頭部１の左右については、マネキン人形における左頬側を左，右頬側を右とする。
【００２９】
頭部１は、図１（Ａ），（Ｂ），（Ｃ）に示すように、人間の頭部を模して形成されており、首部５の上部に連続するように載せられている。この首部５は、胸部の一部６の上部から上方に延びるように形成されており、胸部の一部６は、四角形状の板状の台座７に立設されている。
【００３０】
頭部１は、頭部本体１０と、左右の義眼２０と、これら義眼２０を保持する保持部３０と、蓋部材４０とを備えて構成されている。頭部１は、後述するように、義眼２０の交換、及び蓋部材４０に取り付けるウィッグ（カツラ）（不図示）の交換が容易となるように構成されている。
【００３１】
頭部本体１０は、内側が中空に形成されるとともに、正面側に顔面１１が形成されている。顔面１１には、口部１２、鼻部１３、一対の目部１４，１４等が設けられており、左左右の側面には、一対の耳部１５，１５が設けられている。そして、目部１４，１４には、義眼露出孔１４ａ，１４ａが穿設されている。義眼露出孔１４ａ，１４ａは、左右方向に長い透孔であり、顔面１１を前後方向に貫通して、頭部本体１０の内側と外側とを連通させている。
【００３２】
図２（Ａ）は、頭部１から蓋部材４０を取り外して、頭部本体１０を背面側斜め上方から見た斜視図である。図２（Ｂ）は、（Ａ）と同じ角度から見た、保持部３０からキャップ３２を外して、義眼２０を取り除いた状態を示す図である。
【００３３】
頭部本体１０は、図１，図２に示すように、後頭部１６側の上部に、義眼交換孔１７を有している。義眼交換孔１７は、正面立設部１７ａと、左周縁部１７ｂと、右周縁部１７ｃと、後周縁部１７ｄとによって囲まれるように形成されている。正面立設部１７ａについては、前面１７ｅは額部１８に連続していて緩やかに湾曲しており、後面１７ｆは前後方向に対して直交するように略垂直に形成されている。後面１７ｆには、左右方向の略中央に、左右に長い長方形状の係合凹部（位置決め部）１７ｇが形成されている。この係合凹部１７ｇには、後述する蓋部材４０の係合凸部４０ｃが係合される。左周縁部１７ｂ及び右周縁部１７ｃは、外側に向けて凸状に緩やかに湾曲しながら後方に向けて延設されており、後周縁部１７ｄは、これら左周縁部１７ｂ及び右周縁部１７ｃの後端を繋ぐように左右方向に延びている。これら左周縁部１７ｂ，右周縁部１７ｃ，後周縁部１７ｄは、略水平な同一平面上に位置している。左周縁部１７ｂと右周縁部１７ｃのそれぞれの前後方向の略中央を結ぶように、左右方向に延びる板状のリブ１７ｈが配設されている。このリブ１７ｈに左右方向の略中央には、面ファスナ１９の一方側（Ａ面側）１９ａが取り付けられている。なお、面ファスナ１９の他方側（Ｂ）面側１９ｂは、後述する蓋部材４０の下面４０ｄに取り付けられている。
【００３４】
義眼交換孔１７のうちの、正面立設部１７ａと、左周縁部１７ｂと、右周縁部１７ｃと、リブ１７ｈとで囲まれる空間Ｈは、作業者が頭部本体１０の内側に手を入れて、後述する義眼２０，２０の交換ができる程度の大きさが確保されている。
【００３５】
頭部本体１０の上述の目部１４，１４には、目頭部と目尻部とが細くなった横長の義眼露出孔１４ａ，１４ａが形成されている。義眼露出孔１４ａ，１４ａは、頭部本体１０の内側と外側とを連通するように穿設されている。次に説明する義眼２０，２０は、その虹彩部２０ａ，２０ａを、この義眼露出孔１４ａ，１４ａから外側に向けて露出させている。
【００３６】
上述の頭部本体１０は、例えば、プラスチックや強化プラスチックによって、首部５、胸部の一部６、台座７と一体に形成されている。なお、頭部本体１０の材質については特に限定されるものではない。
【００３７】
図３（Ａ）は頭部１を正面側から見た模式図であり、（Ｂ）は（Ａ）中の矢印Ｘ−Ｘ線矢視図である。また、図４は保持部３０の構成を模式的に示す図である。さらに、図５は義眼２０を説明する図であり、（Ａ）は正面図、（Ｂ）は（Ａ）中の矢印Ｙ−Ｙ線矢視図である。
【００３８】
これらの図に示すように、義眼２０は、椀状に形成されていて、中央部には、虹彩部２０ａが設けられ、周縁部には押圧部２０ｂが設けられている。義眼２０は、虹彩部２０ａの色が異なる複数のものが、交換用に準備されている。虹彩部２０ａの色としては、例えば、黒色、ブルー、ブラウン、グリーン等があげられる。
【００３９】
図６は、保持部３０のキャップ３２を説明する図であり、（Ａ）は正面図、（Ｂ）はＺ−Ｚ線矢視図である。
【００４０】
保持部３０は、図３，図４，図６に示すように、筒状部材３１とキャップ（キャップ部材）３２とを有している。筒状部材３１は、円筒形に形成されていて、軸心Ｃが略前後方向の延びるようにして頭部本体１０における目部１４の裏面側（内側）に配設されている。筒状部材３１は、前端３１ａ側が義眼露出孔１４ａの裏面側に固定され、後端３１ｂ側が後方に向けて開口されている。キャップ３２は、小径部３２ａと大径部３２ｂとを有する円錐台状に形成されている。筒状部材３１の内径に対し、小径部３２ａの直径はこれよりも小さく、一方、大径部３２ｂの直径はこれよりも大きく設定されている。キャップ３２は、適度に弾力性のある部材、例えば、発泡スチロールやゴムによって形成されていて、図３（Ｂ）に示すように、その小径部３２ａ側を、筒状部材３１の後端３１ｂ側に押し込むことにより、小径部３２ａで義眼２０の押圧部２０ｂを押圧している。これにより、義眼２０は、虹彩部２０ａ側を義眼露出孔１４ａに押しつけて位置決め固定される。つまり、義眼２０を所定の位置に配置して、虹彩部２０ａが義眼露出孔１４ａから露出するようにするには、義眼２０をその虹彩部２０ａ側が前側に位置するようにして筒状部材３１に挿入し、その後、キャップ３２を筒状部材３１の後端３１ｂ側に押し込む、といった簡単な作業で行うことができる。また、義眼２０を取り外すには、逆に、キャップ３２を外し、筒状部材３１から義眼２０を取り出すことができる。したがって、例えば、義眼２０をその虹彩部２０ａの色が異なるものに交換する作業は、極めて容易なものとなる。
【００４１】
図７は、蓋部材４０を説明する図であり、（Ａ）は正面側斜め上方から見た斜視図、（Ｂ）は正面側斜め下方から見た斜視図である。
【００４２】
蓋部材４０は、図１，図７に示すように、ブロック状に形成されている。蓋部材４０の上面（外周面）４０ａは、人間の頭頂部の形状に倣って略上方に向かって凸状に緩やかに湾曲している。蓋部材４０の前面４０ｂは、上述の頭部本体１０の正面立設部１７ａの後面１７ｆに倣って略垂直な平面状に形成されていて、左右方向の中央には、係合凹部１７ｇに係脱可能な、左右に長い長方形状の係合凸部４０ｃが突設されている。蓋部材４０は、この係合凸部４０ｃを、頭部本体１０側の係合凹部１７ｇに係合させることで、頭部本体１０に対して位置決めすることができる。
【００４３】
蓋部材４０の下面（底面）４０ｄは、その左，右，後の周端縁の形状が、上述の頭部本体１０側の左周縁部１７ｂ，右周縁部１７ｃ，後周縁部１７ｄに合わせて形成されている。蓋部材４０の下面４０ｄにおける前後方向及び左右方向の略中央には、面ファスナ１９の他方側（Ｂ面側）１９ｂが取り付けられている。この面ファスナ１９の他方側１９ｂは、上述の頭部本体１０の面ファスナ１９の一方側１９ａに対応する位置に取り付けられている。蓋部材４０は、頭部本体１０に対して、一方側１９ａ，他方側１９ｂ側からなる面ファスナ１９を使用して簡単に着脱することができる。
【００４４】
蓋部材４０の後面４０ｅは、頭部本体１０の後頭部１６に連続するように傾斜している。
【００４５】
蓋部材４０は、頭部本体１０に対する着脱及び位置決めが容易である。蓋部材４０側の前面４０ｂの係合凸部４０ｃを、頭部本体１０側の係合凹部１７ｇに係合させることにより、頭部本体１０に対する蓋部材４０の前側の前後左右上下の位置決めを行うことができ、この状態で、蓋部材４０の上面４０ａの左右側面の位置を頭部本体１０の左右側面に合わせることにより、蓋部材４０全体の位置決めを行うことができる。こうして位置決めした後、頭部本体１０の面ファスナ１９の一方側１９ａに、蓋部材４０側の面ファスナ１９の他方側１９ｂをくっつける（係合させる）ことにより、蓋部材４０を頭部本体１０に取り付けることができる。一方、蓋部材４０を頭部本体１０から取り外しには、単に、面ファスナ１９を引き剥がすことで簡単に取り外すことができる。
【００４６】
蓋部材４０は、ピンの抜き差しが容易な部材、例えば、発泡スチロールやコルクによって構成されている。これにより、頭部本体１０に取り付けられた状態の蓋部材４０に対して、ウィッグ（不図示）を貫通させたピン（不図示）の先端を挿し込むことにより、ウィッグを頭部１に取り付けることができる。一方、頭部１からウィッグを取り外すには、蓋部材４０に挿し込んだピンを抜くだけで、簡単に取り外すことができる。このように、蓋部材４０を発泡スチロール等によって構成することにより、頭部１に対するウィッグの着脱が容易となる。なお、蓋部材４０全体を発泡スチロールやコルク等によって構成するに代えて、蓋部材４０のうちのピンが抜き差しされる部分（上面）のみを発泡スチロールやコルク等によって構成し、他の部分は、一般的なプラスチック等によって構成することも可能である。この場合には、蓋部材４０全体として、十分な強度を確保しつつ、ピンの抜き差しが容易な構成とすることができる。さらに、図１（Ｂ）に示すように、頭部本体１０側（例えば、耳部１５の後方）に、ウィッグの一部を固定するためのピンを挿脱するピン孔１０ａを設ければ、ウィッグの固定をより確実なものとすることができる。
【００４７】
以上説明した頭部１によれば、義眼２０及びウィッグの交換（着脱）が容易である。すなわち、義眼２０については、頭部本体１０から蓋部材４０を取り外して義眼交換孔１７を開放し、義眼交換孔１７に手を挿入して、保持部３０のキャップ３２を外すことにより、筒状部材３１から義眼２０を取り出すことができる。義眼２０を取り付けるには、この逆の手順で行うことができる。例えば、虹彩部２０ａの色が異なる別の義眼２０を準備し、これを手で持って義眼交換孔１７から差し入れ、さらに、筒状部材３１の後端３１ｂから挿入して、キャップ３２で蓋をする。これにより、別の義眼２０が、義眼露出孔１４ａから露出するようにすることができる。一方、ウィッグについては、ウィッグにピンを貫通させ、そのピンの先端側を蓋部材４０に挿し込むことで、ウィッグを頭部１に取り付けることができる。ウィッグを取り外すには、蓋部材４０からピンを引き抜くことで簡単に行うことができる。
【００４８】
さらに、頭部１は、義眼２０及びウィッグの双方の交換が容易であるため、義眼２０を交換するのに代えて、ウィッグを交換することも可能である。例えば、虹彩部２０ａの色が黒（黒目）の義眼２０と黒髪のウィッグとが組み合わされた頭部Ａと、虹彩部２０ａの色が青（青目）の義眼２０と金髪のウィッグとが組み合わされた頭部Ｂとについて考える。ただし、頭部Ａ，Ｂは、義眼２０及びウィッグを除いた構造が同じであるものとする。本実施形態においては、上述のように、義眼２０及びウィッグの双方の交換が容易であるため、頭部Ａと頭部Ｂのそれぞれの黒目の義眼２０と青目の義眼２０を交換することも、これに代えて、黒髪のウィッグと金髪のウィッグとを交換することも可能である。特に、本実施形態では、ウィッグを蓋部材４０に取り付けたままの状態での交換が可能であるので、ウィッグの交換が極めて容易である。さらに、この場合には、頭部本体１０に対して蓋部材４０の位置決めをしさえすれば、頭部本体１０に対して、蓋部材４０を介して、ウィッグの位置決めをすることができるので、ウィッグのみを交換する場合と比較して、交換作業が容易となり、また短時間で行うことができる。
【符号の説明】
【００４９】
１  頭部（マネキン人形の頭部）
１０  頭部本体
１１  顔面
１４  目部
１４ａ  義眼露出孔
１７  義眼交換孔
１７ｇ  係合凹部（位置決め部）
１９  面ファスナ
２０  義眼
３０  保持部
３１  筒状部材
３２  キャップ（キャップ部材）
４０  蓋部材
４０ｃ  係合凸部（位置決め部）
【図１】
0005713724.tif 000002
【図２】
0005713724.tif 000003
【図３】
0005713724.tif 000004
【図４】
0005713724.tif 000005
【図５】
0005713724.tif 000006
【図６】
0005713724.tif 000007
【図７】
0005713724.tif 000008